(57)【特許請求の範囲】
【請求項１】
凸状を有する胴体、流出口、及び係止爪が形成された上部と、
互いに離れている内側部及び外側部と、前記内側部及び外側部の上端において前記内側部および外側部を連結する連結部と、を備える少なくとも二重構造に形成された側部と、
を有する栓本体を備え、
前記側部は、
前記内側部の上端にある第１の突起と、
前記連結部にある第１の溝と、
前記第１の溝と前記外側部との間に形成される第２の突起と、
前記外側部に形成され、前記内側部と向かい合う底部から前記内側部を向く方向に突出する第３の突起と、を含み、
前記第１の突起は、前記外側部と向かい合う前記内側部の側面の上端から前記外側部を向く方向に突出し、
前記第１の突起は、第１のステップ部及び前記第１のステップ部よりも上部に位置する第２のステップ部を備える少なくとも二重構造に形成され、
前記第３の突起は、前記第１のステップ部よりも下部に位置し、前記第３の突起と前記第１のステップ部は、上下方向に所定距離を有して離隔され、
前記内側部は、前記外側部よりも下方にさらに長く延びる、栓。
【請求項２】
前記第２の突起は、前記連結部の表面から底部を向く方向に突出する請求項１に記載の栓。
【請求項３】
前記第１及び第２の突起は、前記第１の溝を介して連結される請求項１に記載の栓。
【請求項４】
上部が開口された注入口を有する容器本体と、前記注入口に結合される栓と、を備え、
前記注入口は、内側面の上端に形成される第１段付部、及び外側面の上端に形成された第２段付部を備え、
前記栓は、
凸状を有する胴体、流出口、及び係止爪が形成された上部と、
前記注入口がその間に嵌め込まれるように、内側部及び外側部を有する少なくとも二重構造に形成される側部と、
を有する栓本体を備え、
前記側部は、
前記注入口の内側面の上端に結合されるように前記内側部の上端から突出する第１の突起と、
前記注入口の上面に結合されるように前記内側部と前記外側部との間にある第１の溝と、
前記第１の溝にある前記注入口の上端側面に結合されるように前記第１の溝と前記外側部との間にある第２の突起と、
前記外側部に形成されて前記内側部と向かい合う底部から前記内側部を向く方向に突出する第３の突起と、
を備え、
前記第１の突起は、第１のステップ部、及び前記第１のステップ部よりも上部に位置する第２のステップ部を含む少なくとも二重構造に形成され、
前記第３の突起は、前記第１のステップ部よりも下部に位置し、前記第３の突起と前記第１のステップ部は、上下方向に所定距離を有して離隔され、
前記内側部は、前記外側部よりも下方にさらに長く延びる、
容器。
【請求項５】
前記第２の突起は、前記第２の段付部の上部領域において前記注入口と結合される請求項４に記載の容器。
【請求項６】
前記注入口は、前記第３の突起を収容するように前記外側面の底部に形成される溝部を備える請求項４に記載の容器。
【請求項７】
前記注入口は、前記栓の外側部に向かい合う領域の下部から突出する第３の段付部をさらに備える請求項４に記載の容器。
【発明の詳細な説明】
【技術分野】
【０００１】
本発明は、栓及びこれを備える容器に関する。
【背景技術】
【０００２】
一般に、食用油や醤油などの液状の中身を貯留する容器の開口部には栓が配設される。
【０００３】
この種の栓は、中身が貯留される容器本体に結合される栓本体と、前記栓本体に連結され、開閉可能に設計されたキャップと、を備える。
【０００４】
栓本体は、流出口を有する。流出口は、容器の内部に入れられた中身が流出する。液状の中身は、容器を傾けたり容器の本体を押下したりすることにより外部に流出される。
【０００５】
しかしながら、ユーザーが意図的に液状の中身を外部に放出するとき、中身が容器本体と栓との間を介して漏液されて、ユーザーに使い勝手の悪さを与える虞がある。
【発明の概要】
【発明が解決しようとする課題】
【０００６】
本発明は、上記従来技術に鑑みてなされたものであって、本発明の目的は、漏液を効率よく防ぐ栓及びこれを備える容器を提供することにある。
【０００７】
本発明の他の目的は、下記の実施形態を通して当業者により予測可能である。
【課題を解決するための手段】
【０００８】
上記目的を達成するためになされた本発明の一実施形態による栓は、流出口が形成された上部と、互いに離れている内側部および外側部と、前記内側部および外側部の上端において前記内側部及び外側部を連結する連結部と、を備える少なくとも二重構造に形成される側部と、を有する栓本体を備え、前記側部は、前記内側部の上端にある第１の突起と、前記連結部にある第１の溝と、前記第１の溝と前記外側部との間に形成される第２の突起と、を備える。
【０００９】
本発明の一実施形態による栓において、好ましくは、前記第１の突起は、前記外側部と向かい合う前記内側部の側面の上端から前記外側部を向く方向に突出する。
【００１０】
また、本発明の一実施形態による栓において、好ましくは、前記第１の突起は、第１のステップ部および第２のステップ部を備える少なくとも二重構造を有する。
【００１１】
さらに、本発明の一実施形態による栓において、好ましくは、前記第２の突起は、前記連結部の表面から底部を向く方向に突出する。
【００１２】
さらにまた、本発明の一実施形態による栓において、好ましくは、前記第１および第２の突起は、前記第１の溝を介して互いに連結される。
【００１３】
さらにまた、本発明の一実施形態による栓において、好ましくは、前記外側部は、前記内側部と向かい合う底部から前記内側部を向く方向に突出する第３の突起を備える。
【００１４】
上記目的を達成するためになされた本発明の一実施形態による容器は、上部が開口された注入口を有する容器本体と、前記注入口に結合される栓と、を備え、前記栓は、流出口を有する上部と、前記注入口がその間に嵌め込まれるように、内側部および外側部を有する少なくとも二重構造に形成される側部と、を有する栓本体を備え、前記側部は、前記注入口の内側面の上端に結合されるように前記内側部の上端から突出する第１の突起と、前記注入口の上面に結合されるように前記内側部と前記外側部との間にある第１の溝と、前記第１の溝にある前記注入口の上端側面に結合されるように前記第１の溝と前記外側部との間にある第２の突起と、を備える。
【００１５】
本発明の一実施形態による容器において、好ましくは、前記注入口は、内側面の上端に形成される第１の段付部を備える。
【００１６】
また、本発明の一実施形態による容器において、好ましくは、前記第１の突起は、前記第１の段付部に対応するステップ構造を有する。
【００１７】
さらに、本発明の一実施形態による容器において、好ましくは、前記注入口は、外側面の上端に形成される第２の段付部を備える。
【００１８】
さらにまた、本発明の一実施形態による容器において、好ましくは、前記第２の突起は、前記第２の段付部の上部領域において前記注入口と結合される。
【００１９】
さらにまた、本発明の一実施形態による容器において、好ましくは、前記栓本体の外側部は、前記注入口の外側面の底部に結合されるように前記外側部の底部から突出する第３の突起を備える。
【発明の効果】
【００２０】
本発明によれば、栓および容器本体は少なくとも二重の結合構造を有し、これにより、組み立て誤差が最小化される。
【００２１】
また、栓および容器本体が結合されるとき、これらは多重の漏液防止構造を有し、これにより、漏液が効率よく防がれる。
【図面の簡単な説明】
【００２２】
【図１】本発明の実施形態による栓およびこれを備える容器の断面図である。
【図２】図１の栓およびこれを備える容器の要部を示す分解斜視図である。
【図３】図２の栓を示す断面図である。
【図４】図２の容器を示す断面図である。
【図５Ａ】図２の栓およびこれを備える容器の結合断面図である。
【図５Ｂ】図５ＡのＡ領域を拡大して示す要部拡大図である。
【発明を実施するための形態】
【００２３】
例示的な実施形態は添付図面に基づいてより一層完全に説明される。しかしながら、これらは異なる形態に具体化され、ここで説明する実施形態に限定されるものと解釈されてはならない。むしろ、これらの実施形態は、本開示を徹底且つ完全にするために提供され、当業者に例示的な実施形態の範囲を全体的に伝達する。本願において用いられるように、本願において用いられる用語および／または関連する列挙項目の一つ以上の任意のあらゆる組み合わせを含む。
【００２４】
図中、大きさは説明の明瞭性および便宜性のために誇張されている。これは、ある要素が両要素の間にあると指称されるとき、２つの要素、または１以上の中間要素の間の唯一な要素が存在すると理解さるべきである。類似の参照番号は、全体的に類似の要素を意味する。
【００２５】
図１は、本発明の実施形態による栓およびこれを備える容器の断面図である。
【００２６】
図１を参照すると、容器は、容器本体２００の上部において開放された注入口２２０を有する容器本体２００と、前記容器本体２００の上部において前記注入口２２０に結合されるように構成される栓１００と、を備える。このような容器は、例えば、液状の中身を貯留および流出するように設計される。
【００２７】
栓１００は、注入口２２０に結合されるように構成される栓本体１２０と、前記栓本体１２０の上部において開閉されるように結合されるように構成されるキャップ１３０と、前記栓本体１２０およびキャップ１３０を連結するヒンジ部１４０と、を備え、中身を流出する流出口１２４ａは、栓本体１０の上部に配設される。
【００２８】
ユーザーは、容器を傾けたり、容器本体２００を押下したりして容器に貯留された液状の中身を手軽に流出する。
【００２９】
しかしながら、ユーザーが容器を傾けたり容器本体２００を押し付けたりして中身を意図的に流出または貯留するとき、液状の中身は容器本体２００と栓１００との間を介して漏液され易くなり、これにより、ユーザーの使い勝手の悪さが増す。
【００３０】
図２〜図５Ｂは、漏液を効率よく防ぐ栓１００およびこれを備える容器を示す。
【００３１】
図２は、図１の栓およびこれを備える容器の要部を示す分解斜視図であり、図３は、図２の栓を示す断面図であり、図４は、図２の容器を示す断面図である。
【００３２】
図２〜図４を参照すると、栓１００は、容器本体２００の上端にある注入口２２０において前記容器本体２００と結合されるように構成される。
【００３３】
栓１００は、注入口２２０と結合され、流出口１２４ａを有する栓本体１２０と、前記栓本体１２０の上部において開閉されるように結合されるキャップ１３０と、前記栓本体１２０およびキャップ１３０を連結するヒンジ部１４０と、を備える。前記キャップ１３０が閉じられるとき、流出口１２４ａを取り囲む押付部１３２がキャップ１３０の内側に配設される。
【００３４】
栓本体１２０は、流出口１２４ａを有する上部１２２と、容器本体２００の上端にある注入口２２０の内外側から前記注入口２２０が嵌め込まれるように少なくとも二重構造を有する側部１２８と、を備える。
【００３５】
栓本体１２０の上部１２２は、凸状を有する胴体１２４と、前記胴体１２４に連結されるように構成される流出口１２４ａと、中身が外部に流れることを防ぐために周縁領域に配設される係止爪１２６と、を備える。
【００３６】
栓本体１２０の側部１２８は、注入口２２０がその間に嵌め込まれるように互いに離れている内側部１２８ａおよび外側部１２８ｂを備える少なくとも二重構造を有する。側部１２８は、前記内側部１２８ａおよび外側部１２８ｂの上端において前記内側部１２８ａおよび外側部１２８ｂを連結する連結部１２８ｃをさらに備える。例えば、内側部１２８ａおよび外側部１２８ｂは、連結部１２８ｃを介して一体に連結される。
【００３７】
栓本体１２０の側部１２８は、側部１２８および注入口２２０が結合された状態で漏液を少なくとも二重に防ぐ構造を有する。
【００３８】
このために、栓本体１２０の側部１２８は、内側部１２８ａの上端に配設される第１の突起１２８ａ１と、連結部１２８ｃにある第１の溝１２８ｃ１と、前記第１の溝１２８ｃ１と外側部１２８ｂとの間に配設されるように連結部１２８ｃにある第２の突起１２８ｃ２と、を備える。すなわち、第１の突起１２８ａ１および第２の突起１２８ｃ２は、第１の溝１２８ｃ１を介して連結される。なお、栓本体１２０の側部１２８は、外側部１２８ｂの側面の底部にある第３の突起１２８ｂ１をさらに備える。
【００３９】
第１の突起１２８ａ１は、外側部１２８ｂと向かい合う内側部１２８ａの側面の上端から前記外側部１２８ｂを向く方向に突出する。第１の突起１２８ａ１は、注入口２２０の内側面２２４の上部に結合されて、注入口２２０を押し付ける。その結果、栓１００および容器本体２００は安定的に結合されるとともに、前記栓１００および容器本体２００を介して中身が流出することを防ぐ。
【００４０】
第１の突起１２８ａ１は、第１のステップ部１２８ａ２および第２のステップ部１２８ａ３を備える少なくとも二重のステップ構造を有する。第１の突起１２８ａ１のステップ構造に対応する第１の段付部２２４ａは、注入口２２０の内側面２２４に配設される。すなわち、対応する形状を有する第１の突起１２８ａ１および第１の段付部２２４ａは、互いに結合可能な栓本体１２０の内側部１２８ａの上端および注入口２２０の内側面２２４の上端に配設される。
【００４１】
第１の突起１２８ａ１は、少なくとも二重のステップ構造を有する。前記ステップ構造を形成する第１のステップ部１２８ａ２と第２のステップ部１２８ａ３との間の溝に対応する第１の段付部２２４ａは、第１の突起１２８ａ１に結合される注入口２２０の内側面２２４の上端に配設される。栓１００は、栓１００および容器本体２００を結合する過程において２段階に亘って容器本体２００に固定される方式により安定的に配置される。その結果、製造に当たって、栓１００の組立て誤差が最小化される。
【００４２】
第１の溝１２８ｃ１は、注入口２２０の上面２２２に結合される。第１の溝１２８ｃ１は、注入口２２０の上面２２２の幅に対応する幅、すなわち、注入口２２０の上面２２２が嵌め込まれる幅を有するように形成される。このため、注入口２２０の上面２２２は、栓１００および容器本体２００が結合された状態で第１の溝１２８ｃ１内に強固に配置される。
【００４３】
第２の突起１２８ｃ２は、第１の溝１２８ｃ１と外側部１２８ｂとの間の連結部１２８ｃの表面から底部を向く方向に突出する。これにより、第２の突起１２８ｃ２は、第１の溝１２８ｃ１に強固に配置された注入口２２０の上端の外側面を安定的に固定するとともに、栓本体１２０と注入口２２０との間の漏液をより確実に防ぐなどして漏液防止構造を補強する。
【００４４】
第２の段付部２２６ａは、第２の突起１２８ｃ２の下部に配設されるように注入口２２０の外側面２２６の上端に配設され、これにより、栓１００および容器本体２００間の結合構造が強化される。
【００４５】
第３の突起１２８ｂ１は、栓１００および容器本体２００を安定的に結合するように配設される。第３の突起１２８ｂ１は、注入口２２０の外側面２２６の底部に結合されるように栓本体１２０の外側部１２８ｂの底部から突出する。第３の突起１２８ｂ１を収容する溝部２２８は、注入口２２０の外側面２２６の底部に配設される。
【００４６】
前記構造を有する栓１００および栓１００に結合される容器本体２００は、少なくとも二重の施錠構造を有する。このため、組立て誤差が最小化される。
【００４７】
栓本体１２０および容器本体２００の注入口２２０が互いに結合されるとき、少なくとも二重、特に、実施形態に示すように、三重の漏液防止構造は、容器の内部に貯留されるか、あるいは、容器から流出する液状の中身が不意に漏液されることを効率よく防ぐ。
【００４８】
栓１００および容器本体２２０が互いに結合された構造については、図５Ａおよび図５Ｂを参照して説明する。
【００４９】
図５Ａは、図２の栓およびこれを備える容器の結合断面図であり、図５Ｂは、図５ＡのＡ領域を拡大して示す要部拡大図である。説明の便宜上、図５Ａおよび図５Ｂを説明するとき、図２〜図４において説明した各構成要素についての詳細な説明は省略され、栓および容器本体の結合構造を中心として説明する。
【００５０】
図５Ａおよび図５Ｂを参照すると、栓１００は、注入口２２０の上端が栓本体１２０の内側部１２８ａおよび外側部１２８ｂの間に嵌め込まれるように容器本体２００に結合される。
【００５１】
栓１００および容器本体２００が互いに結合された状態で、栓１００の第１の突起１２８ａ１は注入口２２０の内側面２２４の上端に結合され、第１の溝１２８ｃ１は上面２２２に結合され、第２の突起１２８ｃ２は前記第１の溝１２８ｃ１にある注入口２２０の上端の側面に結合される。また、栓１００の第３の突起１２８ｂ１は、注入口２２０の外側面２２６の底部にある溝部２２８に結合される。
【００５２】
注入口２２０は、内側面２２４の上端にある第１の段付部２２４ａを備える。第１の突起１２８ａ１は、前記第１の段付部２２４ａに対応する少なくとも二重のステップ構造を有する。第１の突起１２８ａ１は、注入口２２０の内側面を押し付けながら栓１００および容器本体２００が安定的に結合された状態にする。
【００５３】
注入口２２０は、外側面２２６の上端に形成される第２の段付部２２６ａを備える。第２の突起１２８ｃ２は、第２の段付部２２６ａの上端領域において注入口２２０と結合される。すなわち、第２の突起１２８ｃ２は、第２の段付部２２６ａの上部に強固に配設される。
【００５４】
栓１００および容器本体２００は、注入口２２０の上端において少なくとも二重の施錠構造を有する。栓１００および容器本体２００が組み合わせられるとき、栓１００は、まず、注入口２２０の上端に配置され、次いで、前記注入口２２０の内側面２２４の上端にある第１の段付部２２４ａに配置される。これにより、組立て誤差が最小化される。
【００５５】
互いに結合された栓１００及び容器本体２００は、少なくとも二重、特に、本実施形態に示すように、三重の漏液防止構造を有する。一次的に、栓１００の第１の突起１２８ａ１が容器本体２００の注入口２２０の内側面２２４に緊結されることにより、漏液が防がれる。二次的に、注入口２２０の上面２２２が栓１００の第１の溝１２８ｃ１に緊結されるように嵌め込まれることにより、漏液が防がれる。三次的に、栓１００の第２の突起１２８ｃ２が注入口２２０の外側面２２６の上端に緊結されることにより、漏液が防がれる。
【００５６】その結果、たとえ三重の漏液防止構造の一部が栓本体１２０または注入口２２０上の傷付きなどにより本来の機能の一部を失うとしても、残りの漏液防止構造により漏液が防がれ、これにより、不意の漏液が効率よく防がれる。  なお、容器本体２００の前記注入口２２０が、前記栓１００の外側部１２８ｂに向かい合う領域の下部から突出する第３の段付部２２９をさらに備える容器の態様が好適に例示される。
【００５７】
上述したように、栓およびこれを備える容器は、漏液を効率よく防ぐ。
【００５８】
栓および容器は、少なくとも二重結合構造を有し、これにより、組立て誤差が低減される。
【００５９】
また、栓および容器本体が結合されるとき、これらは多重の漏液防止構造を有し、これにより、漏液が効率よく防がれる。
【００６０】
たとえ例示的な実施形態が本願に開示され、特定の用語が用いられているとしても、これらは単に一般的且つ説明的な意味として解釈されるべきであり、これらは制限のためではなく、目的のためのものである。一部の例において、当業者にとって自明であり、特定の実施形態と結び付けて記述した特徴部、特徴および／または要素は、単独で、あるいは、別途に明示されていないとしても、他の実施形態と結び付けて説明した特徴部、特徴および／または要素と結合して使用可能である。よって、形態および細部事項への様々な変更が下記の請求範囲に記載の本発明の思想および範囲から逸脱することなく行われるということが当業者は理解できる筈である。
【図１】
0006469104.tif 000002
【図２】
0006469104.tif 000003
【図３】
0006469104.tif 000004
【図４】
0006469104.tif 000005
【図５Ａ】
0006469104.tif 000006
【図５Ｂ】
0006469104.tif 000007